(57)【要約】【課題】低コストの材料を用い、簡単な作業で貫通孔をあけることができ、しかも、貫通孔を通しての漏水を防止することができる支持瓦及び支持構造を提供すること。【解決手段】野地板１１と、野地板１１の表面に設けられた金属板１２と、金属板１２を覆う位置に配置され、表面２１ａと裏面２１ｂとを貫通する貫通孔２２を有する支持瓦２０と、貫通孔２２に挿通された金属パイプ３０と、金属パイプ３０を貫通するボルト４０と、ボルト４０の基端部に設けられた縦ラック取付金具５０とを備え、支持瓦２０は、貫通孔２２の表面２１ａ側の外周縁に設けられた筒状のボス部２３と、貫通孔２２の表面側端部の内縁部にはテーパ部２２ａが設けられている。【選択図】図１
2015004233.tif 000002
【特許請求の範囲】
【請求項１】
瓦本体と、
この瓦本体の表面と裏面とを貫通する貫通孔と、
この貫通孔の表面側の外周縁に設けられた筒状のボス部と、
前記貫通孔を閉塞する薄板と、
前記貫通孔の前記表面側端部の内縁部にはテーパ部が設けられていることを特徴とする支持瓦。
【請求項２】
瓦本体と、
この瓦本体の表面と裏面とを貫通する貫通孔と、
この貫通孔の表面側の外周縁に設けられた筒状のボス部と、
前記貫通孔の前記表面側端部の内縁部にはテーパ部が設けられていることを特徴とする支持瓦。
【請求項３】
上記貫通孔は、上記表面側から上記裏面側に向けて内径が拡がる形状であることを特徴とする請求項１又は２に記載の支持瓦。
【請求項４】
上記ボス部には、前記貫通孔の内径より僅かに小さいに内径を有する開口穴を有するキャップ体が被せられていることを特徴とする請求項１又は２に記載の支持瓦。
【請求項５】
野地板と、
この野地板の表面に設けられた補強板と、
この補強板を覆う位置に配置され、表面と裏面とを貫通する貫通孔を有する支持瓦と、
この貫通孔に挿通された硬質パイプと、
この硬質パイプを貫通するボルトと、
このボルトの基端部に設けられたブラケットとを備え、
前記支持瓦は、前記貫通孔の表面側の外周縁に設けられた筒状のボス部を有し、
前記貫通孔の前記表面側端部の内縁部にはテーパ部が設けられていることを特徴とする支持構造。
【発明の詳細な説明】
【技術分野】
【０００１】
本発明は、太陽光発電パネルを設置するための低コストで、かつ、施工性のよい支持瓦及び支持構造に関する。
【背景技術】
【０００２】
太陽光発電パネルを設置するための支持瓦として各種のものが知られている。例えば、高い強度を有するアルミニウム製（軽量金属材製）の支持瓦が知られている（例えば、特許文献１参照。）。このため、直接瓦本体に積雪荷重がかかっても割れることはない。しかしながら、アルミウム材であるため高価である。
【０００３】
また、太陽エネルギー装置の支持固定構造として、貫通穴がある瓦と筒部分のある支持土台とを組み合わせた構造が知られている（例えば、特許文献２参照。）。積雪荷重等は直接瓦にかかることなく、支持土台を通して躯体に支持されている。このため、瓦に負担がなく、瓦が割れることはない。しかしながら、支持土台を予め、瓦の下に設置する必要があり、施工が複雑となる。また、支持土台はアルミニウム材であるため高価である。
【０００４】
一方、アルミニウム材を用いないものとして、太陽電池モジュール用架台の設置構造が知られている（例えば、特許文献３参照。）。図１６及び図１７に示すように、粘土瓦（屋根材）１００にドリルで貫通孔１０１を設ける。次に、図１８に示すように、中空管１１０を所定の遊びで挿入し、中空管１１０の下端を野地板１２０に当接し、コーキング材を注入した後、ねじ１３０を中空管１１０を通して野地板１２０にねじ込む。中空管１１０と貫通孔１０１の隙間に接着材を充填して固着する。なお、図１８中１４０は太陽光発電パネルを取り付けるためのブラケットを示している。粘土瓦１００の本体にはアルミニウム材を用いていないので、低コストである。
【先行技術文献】
【特許文献】
【０００５】
【特許文献１】特開平９−３２４４９８号公報
【特許文献２】特開２０１１−２３１６０１号公報
【特許文献３】特開２００２−１８８２５０号公報
【発明の概要】
【発明が解決しようとする課題】
【０００６】
上述した太陽光発電パネルの支持瓦及び支持構造では、次のような問題があった。すなわち、粘土瓦１００にドリルで貫通孔１０１をあける作業が必要となり、工数が増える。また、粘土瓦１００と野地板１２０の傾きの違いから、貫通孔１０１の位置に誤差があると、図１８のＱに示すように、貫通孔１０１と中空管１１０とが干渉して、貫通孔１０１の内縁部が欠け、その部分から漏水する虞があった。
【０００７】
そこで本発明は、低コストの材料を用い、簡単な作業で貫通孔をあけることができ、しかも、貫通孔を通しての漏水を防止することができる支持瓦及び支持構造を提供することを目的としている。
【課題を解決するための手段】
【０００８】
前記課題を解決し目的を達成するために、本発明の支持瓦及び支持構造は次のように構成されている。
【０００９】
瓦本体と、この瓦本体の表面と裏面とを貫通する貫通孔と、この貫通孔の表面側の外周縁に設けられた筒状のボス部と、前記貫通孔を閉塞する薄板と、前記貫通孔の前記表面側端部の内縁部にはテーパ部が設けられていることを特徴とする。
【００１０】
瓦本体と、この瓦本体の表面と裏面とを貫通する貫通孔と、この貫通孔の表面側の外周縁に設けられた筒状のボス部と、前記貫通孔の前記表面側端部の内縁部にはテーパ部が設けられていることを特徴とする。
【００１１】
野地板と、この野地板の表面に設けられた補強板と、この補強板を覆う位置に配置され、表面と裏面とを貫通する貫通孔を有する支持瓦と、この貫通孔に挿通された硬質パイプと、この硬質パイプを貫通するボルトと、このボルトの基端部に設けられたブラケットとを備え、前記支持瓦は、前記貫通孔の表面側の外周縁に設けられた筒状のボス部を有し、前記貫通孔の前記表面側端部の内縁部にはテーパ部が設けられていることを特徴とする。
【発明の効果】
【００１２】
本発明によれば、低コストの材料を用い、簡単な作業で貫通孔をあけることができ、しかも、貫通孔を通しての漏水を防止することが可能となる。
【図面の簡単な説明】
【００１３】
【図１】本発明の第１の実施の形態に係る支持瓦を有する支持構造の取付状態を示す分解斜視図。
【図２】同支持瓦を有する支持構造を示す断面図。
【図３】同支持瓦を示す斜視図。
【図４】同支持瓦を図３におけるＡ−Ａ線で切断して矢印方向に見た断面図。
【図５】同支持瓦の要部を示す断面図。
【図６】同支持瓦を有する支持構造における要部を示す断面図。
【図７】本発明の第２の実施の形態に係る支持瓦を示す断面図。
【図８】同支持瓦を図７におけるＢ−Ｂ線で切断して矢印方向に見た断面図。
【図９】同支持瓦の裏側を示す斜視図。
【図１０】同支持瓦を４枚積層した状態を示す断面図。
【図１１】本発明の第３の実施の形態に係る支持瓦を示す斜視図。
【図１２】同支持瓦を図１１におけるＣ−Ｃ線で切断して矢印方向に見た断面図。
【図１３】同支持瓦の要部を示す断面図。
【図１４】同支持瓦の要部を示す斜視図。
【図１５】同支持瓦を有する支持構造における要部を示す断面図。
【図１６】一般的な瓦に貫通孔を設けた状態を示す斜視図。
【図１７】同瓦の図１６におけるＸ−Ｘ線で切断して矢印方向に見た断面図。
【図１８】同瓦を支持瓦を有する支持構造を示す断面図。
【発明を実施するための形態】
【００１４】
図１は、本発明の第１の実施の形態に係る支持瓦を有する支持構造１０の取付状態を示す分解斜視図、図２は支持構造１０を示す断面図、図３は支持瓦２０を示す斜視図、図４は、支持瓦２０を図３におけるＡ−Ａ線で切断して矢印方向に見た断面図、図５は支持瓦２０の要部を示す断面図、図６は支持構造１０における要部を示す断面図である。
【００１５】
図１，２に示すように、支持構造１０は、家屋の屋根部に設けられた野地板１１と、この野地板１１の表面に設けられた耐水合板等の補強板１１ａと、この補強板１１ａの上部のステンレス材等の金属板１２と、金属板１２を覆う位置に配置された支持瓦２０と、後述する貫通孔２２に挿入されたステンレス材等の金属パイプ（硬質パイプ）３０と、この金属パイプ３０を貫通するボルト（ドリルビス）４０と、このボルト４０の基端部４１に設けられた縦ラック取付金具（ブラケット）５０とを備えている。なお、縦ラック取付金具５０には、縦ラック５１が取り付けられ、この縦ラック５１には、太陽光発電モジュール５２が取り付けられている。
【００１６】
図３，４に示すように、支持瓦２０は、粘土材製の瓦本体２１と、瓦本体２１の表面２１ａと裏面２１ｂとを貫通する貫通孔２２と、貫通孔２２の表面側の外周縁に設けられた筒状のボス部２３とを備えている。さらに、図５に示すように、貫通孔２２の表面２１ａ側端部の内縁部には、端部から内部に向けて内径が小となるテーパ部２２ａが形成されている。なお、図４，５に示すように、貫通孔２２は組立前においては薄板２２ｂにより閉塞されている。
【００１７】
このように構成された支持構造１０は、次のようにして組立を行う。すなわち、野地板１１上の所定位置（太陽光発電パネル５２のブラケット５０を設置すべき位置に対応する位置）に補強板１１ａと、金属板１２を設置する。次に、支持瓦２０の貫通孔２２を閉塞する薄板２２ｂをハンマ等で割って、貫通孔２２を貫通させる。そして、金属パイプ３０を貫通孔２２に挿通し、金属パイプ３０内にコーキング材を注入した後、ボルト４０を野地板１１までねじこんで縦ラック取付金具５０を支持瓦２０上に止めつける。金属パイプ３０と貫通孔２２の間もコーキング材で止水する。
【００１８】
所定の位置に配置された複数の支持瓦２０に縦ラック取付金具５０を取り付けた後、縦ラック５１を取り付け、さらに縦ラック５１に太陽光発電モジュール５２を固定する。
【００１９】
このようにして構成された支持構造１０では、支持瓦２０の薄板２２ｂを割るだけで、ボルト４０を挿通するための貫通孔２２を形成することができるため、作業効率が向上する。また、太陽光発電パネル５２の荷重が直接かかることがないため、支持瓦２０の材質は、安価な粘土瓦・セメント瓦・樹脂瓦・焼成瓦等を用いることができ、低コストで支持構造１０を形成することができる。ボス部２３の開口端にテーパ部２２ａが設けられているため、金属パイプ３０がテーパ部２２ａの表面端部に直接当たることがない。このため、瓦本体２１が欠けることがなく、その部分から水漏れが生じることがない。
【００２０】
さらに、ボス部２３は凸状であるため、表面２１ａ側に滴下した雨水が貫通孔２２に入り込むことがなく、漏水を防止することができる。
【００２１】
なお、金属パイプ３０が支持瓦２０に直接接触しないようにゴム等の柔らかい材質のパイプで包んでもよい。さらに、シーラ等の止水材をまき、金属パイプ３０と支持瓦２０との間を止水してもよい。
【００２２】
上述したように、本実施の形態に係る支持構造１０及び支持瓦２０によれば、低コストの材料を用い、簡単な作業で貫通孔をあけることができ、しかも、貫通孔を通しての漏水を防止することが可能となる。
【００２３】
図７は、本発明の第２の実施の形態に係る支持瓦２０Ａを示す断面図、図８は、支持瓦２０Ａを図７におけるＢ−Ｂ線で切断して矢印方向に見た断面図、図９は、支持瓦２０Ａの裏側を示す斜視図である。支持瓦２０Ａは、支持瓦２０と同様に用いられるものである。なお、これらの図において、図１〜６と同一機能部分には同一符号を付し、その詳細な説明は省略する。
【００２４】
図７に示すように、支持瓦２０Ａは、粘土材製の瓦本体２１と、瓦本体２１の表面２１ａと裏面２１ｂとを貫通する貫通孔２２Ａと、貫通孔２２Ａの表面側の外周縁に設けられた筒状のボス部２３とを備えている。貫通孔２２Ａは、表面側から裏面側に向けて内径が拡がる形状であり、テーパ面２５が設けられている。
【００２５】
このように形成された支持瓦２０Ａでは、上述した支持瓦２０と同様の効果を得ることができると共に、支持瓦２０Ａの製造工程において、厚さの変化を最小限に抑えることで、ボス部２３の成形性が向上する。また、図１０に示すように、支持瓦２０Ａを複数枚積層して結束する際に、ボス部２３と貫通孔２２Ａとが対応し、結束が容易となり、運搬に適している。
【００２６】
図１１は、本発明の第３の実施の形態に係る支持瓦２０を示す斜視図、図１２は、支持瓦２０を図１１におけるＣ−Ｃ線で切断して矢印方向に見た断面図、図１３は、支持瓦２０の要部を示す断面図、図１４は、支持瓦２０の要部を示す斜視図、図１５は、支持瓦２０を有する支持構造における要部を示す断面図である。なお、これらの図において、図１〜６と同一機能部分には同一符号を付し、その詳細な説明は省略する。
【００２７】
図１１に示すように、支持瓦２０のボス部２３に、円錐台状のキャップ体６０が被せられている。キャップ体６０の頂部に開口穴６１を有している。開口穴６１は、貫通孔２２の内径より僅かに小さいに内径を有している。キャップ体６０は接着材・コーキング材等などでボス部２３表面に貼り付ける。
【００２８】
このキャップ体６０が設けられていることにより、金属パイプ３０と支持瓦２０の間からの雨水の浸入を防ぐためのコーキングを施工しやすくなることから、雨水も浸入しにくい。また、接着材などで留め付けたときに、荷重を受けてもキャップ体６０と支持瓦２０のボス部２３とが密着することで強度を発揮する。さらに、開口穴６１の内径は、貫通孔２２の穴径よりも小さいため、図１５に示すように、金属パイプ３０がキャップ体６０に当たり、支持瓦２０に直接当たらないために、支持瓦２０が割れたり・欠けたりすることを防止できる。
【００２９】
なお、本発明は前記実施の形態に限定されるものではない。例えば、上述した例では、金属パイプとボルトとを組み合わせたが、ボルトと木ネジとが一体になったハンガーボルトを用いてもよい。また、金属パイプ・金属板の代わりに、硬質な樹脂パイプ・樹脂板を用いてもよい。さらに、支持瓦の薄板がなく、予め貫通孔が開いた状態でもよい。金属パイプと補強板との間には、面積の広いワッシャ等の金属板を用いてもよい。この他、本発明の要旨を逸脱しない範囲で種々変形実施可能であるのは勿論である。
【符号の説明】
【００３０】
１０…支持構造、１１…野地板、１１ａ…補強板、１２…金属板（補強板）、２０，２０Ａ…支持瓦、２１…瓦本体、２２，２２Ａ…貫通孔、２３…ボス部、２２ａ…テーパ部、２２ｂ…薄板、３０…金属パイプ（硬質パイプ）、４０…ボルト、５０…縦ラック取付金具（ブラケット）。
【図１】
2015004233.tif 000003
【図２】
2015004233.tif 000004
【図３】
2015004233.tif 000005
【図４】
2015004233.tif 000006
【図５】
2015004233.tif 000007
【図６】
2015004233.tif 000008
【図７】
2015004233.tif 000009
【図８】
2015004233.tif 000010
【図９】
2015004233.tif 000011
【図１０】
2015004233.tif 000012
【図１１】
2015004233.tif 000013
【図１２】
2015004233.tif 000014
【図１３】
2015004233.tif 000015
【図１４】
2015004233.tif 000016
【図１５】
2015004233.tif 000017
【図１６】
2015004233.tif 000018
【図１７】
2015004233.tif 000019
【図１８】
2015004233.tif 000020